(57)【要約】【課題】  外部からの侵入者を阻止し、ガラス窓を片側に寄せて、部屋に外気を安心して取り入れ、ガラス戸が開放状態の夜間の就寝中でも安心でき、快適な居住空間が損なわれないようにすることを目的とする。【解決手段】  格子をガラス戸のガラスあるいは網戸の網と一体化して取付けた防犯戸。  網戸の網の内側あるいは外側に格子を設けた防犯網戸である。  網戸の網の内側あるいは外側に縦枠と横枠とよりなる縦横格子を網戸枠内に設けた防犯網戸である。  縦横格子の横枠を伸縮自在として網戸枠の寸法が少々異なっても加工することなく縦横格子を設置できるようにした防犯網戸である。  縦横格子の上下に配置した上横枠の下溝と下横枠の上溝に複数本の縦枠の上下端部をそれぞれ嵌着し、縦枠を任意のピッチで取付け得るようにした縦横格子である防犯網戸である。  網戸に網戸の開閉をできなくするロック装置を設けた防犯網戸である。【選択図】  図８ 
2006009492.tif 000002
【特許請求の範囲】
【請求項１】
格子をガラス戸のガラスあるいは網戸の網と一体化して取付けた防犯戸。
【請求項２】
網戸の網の内側あるいは外側に格子を設けた防犯網戸。
【請求項３】
網戸の網の内側あるいは外側に縦枠と横枠とよりなる縦横格子を網戸枠内に設けた防犯網戸。
【請求項４】
縦横格子の横枠を伸縮自在として網戸枠の寸法が少々異なっても加工することなく縦横格子を設置できるようにした請求項３記載の防犯網戸。
【請求項５】
縦横格子の上下に配置した上横枠の下溝と下横枠の上溝に複数本の縦枠の上下端部をそれぞれ嵌着し、縦枠を任意のピッチで取付け得るようにした縦横格子である請求項３記載の防犯網戸。
【請求項６】
網戸に網戸の開閉をできなくするロック装置を設けた請求項２記載の防犯網戸。
【発明の詳細な説明】
【技術分野】
【０００１】
本発明は、防犯戸と防犯網戸に関し、特に、引違い戸、嵌殺し戸、住宅用引違い戸の既設網戸、住宅用引き違い戸の新設網戸、ビル等の非住宅の引違い戸の既設網戸、ビル等の非住宅の引違い戸の新設網戸の防犯装置についてである。
【背景技術】
【０００２】
昨今は治安が悪く、どのようにして治安を維持するかが社会問題となっている。
【０００３】
屋内にいても屋外からの侵入者を防止しなければならない。
【０００４】
一般に用いられている網戸１０１は、図１６に示すようにアルミニウム等の金属で構成された四角枠状の網戸枠１０２の開口部を合成樹脂で形成された通気性の網１０３が張られている。この網戸１０１は一般に引違いガラス戸１０４・ガラス戸１０５の外側に設置され、網戸１０１の厚さは概ね１０ｍｍ程度、網戸１０１とガラス戸１０５との隙間は網戸枠１０２とガラス戸１０５のガラス枠１０６との部分で５〜８ｍｍ程度である。
【０００５】
そして、網戸１０１は部屋の内外から容易に開閉できる。
【０００６】
また、はきだし窓用の網戸は高さが１７００ｍｍを超え、剛性が低い。
【特許文献１】特開２０００−３７６１００号公報
【発明の開示】
【発明が解決しようとする課題】
【０００７】
網戸１０１は開閉を制限できるロック装置がないので、外部からの侵入者を阻止できない。
【０００８】
また、網戸１０１の網１０３はカッターナイフ等で容易に切断することができる。
【０００９】
さらに、網戸１０１そのものを弓なりに反らす等して、上下の嵌込み部分から外すことも容易にできる。
【００１０】
さらにまた、ガラス戸１０４およびガラス戸１０５を片側に寄せて、部屋に外気を取り入れたい場合、網戸１０１だけでは全く防犯性がない。特に、ガラス戸１０４・１０５が窓開放状態では夜間の就寝中など、網戸１０１のみでは用心が悪いため、ガラス戸１０４・１０５を閉めざるを得ず、快適な居住空間が損なわれる。
【課題を解決するための手段】
【００１１】
そこで、本発明は、上記の事情に鑑み、外部からの侵入者を阻止できるようにすべく、格子をガラス戸のガラスあるいは網戸の網と一体化して取付けた防犯戸とした。
【００１２】
また、本発明は、外部からの侵入者を阻止できるようにすべく、網戸の網の内側あるいは外側に格子を設けた防犯網戸とした。
【００１３】
さらに、本発明は、外部からの侵入者を阻止し、網戸を弓なりに反らして外すことを防止すべく、網戸の網の内側あるいは外側に縦枠と横枠とよりなる縦横格子を網戸枠内に設けた。
【００１４】
さらにまた、本発明は、外部からの侵入者を阻止し、網戸を弓なりに反らして外すことを防止し、網戸枠の寸法が少々異なっても縦横格子を装着可能とすべく、縦横格子の横枠を伸縮自在として網戸枠の寸法が少々異なっても加工することなく縦横格子を設置できるようにした。
【００１５】
さらにその上に、本発明は、外部からの侵入者を防止し、網戸を弓なりに反らして外すことを防止し、縦枠を任意のピッチで取付け可能とすべく、縦横格子の上下に配置した上横枠の下溝と下横枠の上溝に複数本の縦枠の上下端部をそれぞれ嵌着し、縦枠を任意のピッチで取付け得るようにした縦横格子である。
【００１６】
その上にまた、網戸の開閉ができないようにして、外部からの侵入者を阻止し、ガラス窓を片側に寄せて、部屋に外気を安心して取り入れ、ガラス戸が開放状態の夜間の就寝中でも安心でき、快適な居住空間が損なわれないようにすべく、網戸に網戸の開閉をできなくするロック装置を設けた防犯網戸とした。
【発明の効果】
【００１７】
本発明は、上記のように、格子をガラス戸のガラスあるいは網戸の網と一体化して取付けた防犯戸であるので、外部からの侵入者を阻止できる。
【００１８】
また、本発明は、網戸の網の内側あるいは外側に格子を設けた防犯網戸であるので、外部からの侵入者を阻止できる。
【００１９】
さらに、本発明は、網戸の網の内側あるいは外側に縦枠と横枠とよりなる縦横格子を網戸枠内に設けた防犯網戸であるので、外部からの侵入者を阻止し、網戸を弓なりに反らして外すことを防止できる。
【００２０】
さらにまた、本発明は、縦横格子の横枠を伸縮自在として網戸枠の寸法が少々異なっても加工することなく縦横格子を設置できる防犯網戸であるので、外部からの侵入者を阻止し、網戸を弓なりに反らして外すことを防止し、網戸枠の寸法が少々異なっても格子を装着可能である。
【００２１】
さらにその上に、本発明は、縦横格子の上下に配置した上横枠の下溝と下横枠の上溝に複数本の縦枠の上下端部をそれぞれ嵌着し、縦枠を任意のピッチで取付け得るようにした縦横格子である防犯網戸であるので、外部からの侵入者を防止し、網戸を弓なりに反らして外すことを防止し、縦枠を任意のピッチで取付け可能である。
【００２２】
その上にまた、本発明は、網戸に網戸の開閉をできなくするロック装置を設けた防犯網戸であるので、網戸の開閉ができないようにして、外部からの侵入者を阻止し、ガラス窓を片側に寄せて、部屋に外気を安心して取り入れ、ガラス戸が開放状態の夜間の就寝中でも安心でき、快適な居住空間が損なわれることはない。
【発明を実施するための最良の形態】
【００２３】
本発明を添付する図面の具体的な実施例に基づいて、以下詳細に説明する。
【００２４】
図１は、本発明の具体的一実施例で網戸、ガラス戸の収納状態を示す防犯格子付引違い戸の縦断面図、図２は、図１の網戸、ガラス戸の収納状態を示す平面図、図３は図１、図２のリモートコントロール式の施・解錠装置を示す斜視図、図４、図５、図６は格子のパターンの例を示す屋内から見た正面図である。
【００２５】
図１、図２に示すように、建物の駆体１の開口四周に開口枠２を設け、開口枠２内に屋内側から順にガラス戸３、ガラス戸４、網戸５を引違い自在に配置してある。
【００２６】
ガラス戸３・４および網戸５は四周に戸枠６を配置し、ガラス戸３・４では戸枠６内にガラス板７を嵌め、ガラス板７表面に金属製等の格子８を貼る。網戸５では、戸枠６の開口を塞ぐように網９を張り、網９の表面に格子８を貼る。
【００２７】
ガラス戸３・４でガラス板７が割られたり、網戸５の網９が破られたりしても、ガラス戸３・４や網戸５に格子８が設けてあるので、外部から屋内に容易に侵入することはできない。
【００２８】
ガラス戸３・４および網戸５を共に一方側に寄せて他方側を開放して外部の空気を屋内に取り入れる場合、ガラス戸３・４を一方側に寄せて他方側に網戸５を位置させた場合あるいはガラス戸３・４を閉じた場合、防犯上安全なために、ガラス戸３・４に取付けた従来の錠に替えて、ガラス戸３・４、網戸５をロックする必要がある。
【００２９】
ロック装置を図３により説明する。開口枠２の上枠１０の案内孔１１に、３個の停止ピン１２を垂設した三連ロック１３を、図示していないが上枠１０に固着した摺動板に当接させて摺動自在とする。
【００３０】
Ｌ字状形状のレバー１８を上枠１０に固着したブラケット１４の中心軸１５のまわりに回動自在に設け、レバー１８の水平片１６を三連ロック１３の下向きの切欠き１７に嵌める。レバー１８の垂直片１９の先端間を連結する連結片２０にワイヤー２１の一端を連結し、ワイヤー２１の他端は安全のため屋内側に配置しグリップ２２に連結する。ワイヤー２１の外周はワイヤーガード２３で被覆させ、ワイヤーガード２３先端と連結片２０との間にコイルスプリング２４を縮設してレバー１８を図３において左まわりに付勢させ、戸３・４、網戸５の戸枠６の両端にそれぞれ穿設した位置決め孔（図示せず）に停止ピン１２を嵌めてガラス戸３・４、網戸５の移動をロックしている。図３は停止ピン１２でガラス戸３・４、網戸５の移動をロックした状態である。
【００３１】
このロック状態を解除するには、グリップ２２を把持してワイヤー２１を引っ張ると、レバー１８はコイルスプリング２１の付勢力に抗して図３において右まわりに回動し、水平片１６にて三連ロック１３を上方に向けて移動させ、停止ピン１２はガラス戸３・４、網戸５の位置決め孔から抜けてガラス戸３・４、網戸５は自由に移動できるようになる。      
【００３２】
ワイヤー２１の引張りを止めると、三連ロック１３は引張りバネ（図示せず）でガラス戸３・４、網戸５の位置決め孔に向けて付勢してあるので復帰し、ガラス戸３・４、網戸５をロックする。
【００３３】
図４は格子８を斜状に設け、図５は格子８を四角枠状に設け、図６は格子８を長方形枠状に設けた例を示す。符号２６は解除ペダルである。
【００３４】
本発明の網戸の例を図７および図８に示す。網戸３１は、長方形枠状の戸枠３２の開口部の外側に網３３を張り、縦横格子３４を屋内側の上下に配置する。縦横格子３４は屋内側から設置できる。この縦横格子３４はアルミニウム押出形材等で構成する。
【００３５】
縦横格子３４の全体の概要を図９に示す。縦横格子３４は上下に隔てて配置した上横枠３５と下横枠３６、上横枠３５と下横枠３６を連結する複数本の縦枠３７とよりなる。
【００３６】
図１０、図１１に示すように、上横枠３５および下横枠３６の一端には戸枠３２に当接する当接片３８を上横枠本体４０、下横枠本体４１にそれぞれ固着し、上横枠本体４０および下横枠本体４１には戸枠３２に当接して摺動する筒状の摺動片３９をそれぞれ外嵌めする。上横枠３５および下横枠３６の他端が伸縮自在となるように摺動片３９にコイルスプリング４２を縮設し、縦横格子３４を戸枠３２に装着した状態を保持するためのネジ４３を摺動片３９に螺着しておく。
【００３７】
アルミニウム押出形材である筒状体の上横枠本体４０の下面には全長にわたり上溝４４が刻設してあり、アルミニウム押出形材である筒状体の下横枠本体４１の上面には全長にわたり下溝４５が刻設してある。
【００３８】
上横枠本体４０の上溝４４、下横枠本体４１の下溝４５には、縦枠３７の上端４６、下端４７を嵌める。
【００３９】
上溝４４、下溝４５への縦枠３７の上端４６、下端４７の装着を確実にするために、その先端に水平突出片４８を固着させ、上横枠本体４０、下横枠本体４１内には全長にわたる押え板４９を収容させておき、縦枠３７の取付けピッチを確定した後に、その箇所の上横枠本体４０、下横枠本体４１にネジ５０を螺着させ、ネジ５０をねじ込んで押え板４９と上横枠本体４０・下横枠本体４１で縦枠３７の上端４６・下端４７を締め込んで固定する。
【００４０】
次に、網戸３１に網戸３１の開閉をできなくするロック装置について図１２、図１３、図１４、図１５により説明する。
【００４１】
図１２、図１３には、網戸３１にロックプレート６１を設けて下方に突出させ、戸枠２に当接させて網戸３１を屋外から容易に開閉できないようにするものである。
【００４２】
摺動片３９の屋内側に案内筒６２を固着しておき、案内筒６２にロックプレート６１を摺動自在に設け、ロックプレート６１の下端を、戸枠２との摩擦を増大させるためのゴム製あるいは樹脂製のカバー６３で覆わせる。
【００４３】
図１４では、網戸３１の下方にロックプレート６３を設けるばかりでなく、網戸３１の上方に上ロックプレート６４を設けることもできる。
【００４４】
また、網戸３１の全長にわたるものばかりでなく、必要に応じて網戸３１の部分的長さである部分ロックプレート６５を設けることもできる。
【００４５】
本発明は、網戸３１に防犯用の縦横格子３４を取付けるために、特殊な工具や専門的な知識を必要としない。
【００４６】
また、本発明は、既設の引違いのガラス戸１０４・１０５と、網戸３１に孔をあける等の加工をしないので、縦横格子３４を取り外しても網戸３１に傷が残らない。
【００４７】
さらに、本発明は、寸法の異なる網戸３１にある範囲をもって、自由に適応できる。
【００４８】
その上に、本発明は、外部からは網戸３１に格子が付いている事による侵入抑止効果がある。
【００４９】
さらにまた、本発明は、ロック装置を解除しない限りは、網戸３１は開閉できない。
【００５０】
さらにその上に、本発明は、ロック装置が突張る構造のため、網戸３１を反らせるように変形させても、取り外すことはできない。
【００５１】
その上にまた、本発明は、ロックプレート６１、上ロックプレート６４、部分ロックプレート６５にゴム製等のカバー６３を組込む事により、ロック作動時の摩擦を増大させ、かつ金属同士の接触から傷を防ぐことができる。防犯用の縦横格子３４を取付ける事により、これと一体化した網戸３１の剛性が高くなり、網戸３１を変形させて所定位置から離脱させることも防止できる。
【産業上の利用可能性】
【００５２】
本発明は、防犯戸と防犯網戸に関するものであるが、引違い戸、嵌殺し戸、住宅用引違い戸の既設網戸、住宅用引違い戸の新設網戸、ビル等の非住宅の引違い戸の既設網戸、ビル等の非住宅の引違い戸の新設網戸の防犯装置に利用することができる。
【図面の簡単な説明】
【００５３】
【図１】本発明の具体的一実施例で網戸、ガラス戸の収納状態を示す防犯格子付引違い戸の縦断面図である。
【図２】図２は、図１の網戸、ガラス戸の収納状態を示す平面図である。
【図３】図３は図１、図２のリモートコントロール式の施・解錠装置を示す斜視図である。
【図４】本発明の引違い戸の格子を斜状に設けた例を示す屋内から見た正面図である。
【図５】本発明の引違い戸の格子を四角枠状に設けた例を示す屋内から見た正面図である。
【図６】本発明の引違い戸の格子を長方形枠状に設けた例を示す屋内から見た正面図である。
【図７】本発明の網戸の側面図である。
【図８】本発明の屋内側から見た網戸の正面図である。
【図９】本発明に係る縦横格子の分解斜視図である。
【図１０】本発明の縦横格子を戸枠に取付ける要部の拡大斜視図である。
【図１１】本発明の縦枠の上横枠本体への装着状態を説明する断面図である。
【図１２】本発明の網戸にロック装置を取付けた状態の側面図である。
【図１３】本発明の網戸にロック装置を取付けた状態の要部の拡大斜視図である。
【図１４】本発明の網戸にロック装置を上下に取付けた状態の屋内側から見た正面図である。
【図１５】本発明のロック装置を部分的に取付けた状態の拡大斜視図である。
【図１６】従来の網戸の側面図である。
【符号の説明】
【００５４】
３・４…ガラス戸
５…網戸
８…格子
３７…縦枠
３５…上横枠（横枠の例）
３６…下横枠（横枠の例）
３４…縦横格子
３１…網戸
３２…網戸枠
４５…下溝
４４…上溝
６１…ロックプレート（ロック装置の例）
６４…上ロックプレート（ロック装置の例）
６５…部分ロックプレート（ロック装置の例）
【図１】
2006009492.tif 000003
【図２】
2006009492.tif 000004
【図３】
2006009492.tif 000005
【図４】
2006009492.tif 000006
【図５】
2006009492.tif 000007
【図６】
2006009492.tif 000008
【図７】
2006009492.tif 000009
【図８】
2006009492.tif 000010
【図９】
2006009492.tif 000011
【図１０】
2006009492.tif 000012
【図１１】
2006009492.tif 000013
【図１２】
2006009492.tif 000014
【図１３】
2006009492.tif 000015
【図１４】
2006009492.tif 000016
【図１５】
2006009492.tif 000017
【図１６】
2006009492.tif 000018